(57)【要約】【課題】  公営競技の投票者に対する表示サービスの情報提供に関し、重勝賭式の場合に各レースの確定毎に的中の可能性のある投票数を的中残票として求め各競走体の的中残票を表示する的中残票表示装置、的中残票表示プログラムおよび的中残票表示方法を提供することを目的とする。【解決手段】  投票端末からレース番号とそのレースに出走する競走体の番号との組合せ及び投票金額を含む重勝賭式の投票情報を取得して各レースの競走体毎の投票数を集計し、レース確定毎に各競走体の投票数から不的中票を除去して的中残票を求め表示するよう構成する。【選択図】    図１
2006106963.tif 000002
【特許請求の範囲】
【請求項１】
投票端末から重勝賭式対象のレース番号と該レース番号のレースに出走する競走体の番号との組合せと、該組合せに対する投票金額を含む投票情報を取得する投票情報取得手段と、
前記投票情報取得手段で取得した投票情報から前記レース番号の前記競走体毎の投票数を集計する投票数集計手段と、
前記重勝賭式対象の1レースの確定後に、該レースで不的中となった組合せを基に各レース番号の競走体に対する投票数を不的中投票数として求め、該レースの確定前の各レース番号の競走体の投票数から該不的中投票数を差し引いて残票数を求める不的中票除去手段と、
前記不的中票除去手段で求めた各レースの競走体毎の残票数を、1レース確定毎に所定の表示形式で表示する残票表示手段と
を有することを特徴とする的中残票表示装置。
【請求項２】
前記残票表示手段は、前記不的中票除去手段で求めた前記レース番号の前記競走体毎の残票数を、該レース番号の中で残票数の大きい順に表示する
ことを特徴とする請求項１記載の的中残票表示装置。
【請求項３】
投票端末から重勝賭式対象のレース番号と該レース番号のレースに出走する競走体の番号との組合せと、該組合せに対する投票金額を含む投票情報を取得する投票情報取得手段と、
前記投票情報取得手段で取得した投票情報から前記レース番号の前記競走体毎の投票数を集計する投票数集計手段と、
前記重勝賭式対象の1レースの確定後に、該レースで不的中となった組合せを基に各レース番号の競走体に対する投票数を不的中投票数として求め、該レースの確定前の各レース番号の競走体の投票数から該不的中投票数を差し引いて残票数を求める不的中票除去手段と、
前記不的中票除去手段で求めた各レースの競走体毎の残票数を、1レース確定毎に所定の表示形式で表示する残票表示手段と
をコンピュータに機能させるための的中残票表示プログラム。
【請求項４】
投票端末から重勝賭式対象のレース番号と該レース番号のレースに出走する競走体の番号との組合せと、該組合せに対する投票金額を含む投票情報を取得する投票情報取得手順と、
前記投票情報取得手順で取得した投票情報から前記レース番号の前記競走体毎の投票数を集計する投票数集計手順と、
前記重勝賭式対象の1レースの確定後に、該レースで不的中となった組合せを基に各レース番号の競走体に対する投票数を不的中投票数として求め、該レースの確定前の各レース番号の競走体の投票数から該不的中投票数を差し引いて残票数を求める不的中票除去手順と、
前記不的中票除去手段で求めた各レースの競走体毎の残票数を、1レース確定毎に所定の表示形式で表示する残票表示手順と
を有することを特徴とする的中残票表示方法。
【発明の詳細な説明】
【技術分野】
【０００１】
本発明は公営競技の投票者に対する表示サービスの情報提供に関し、より詳細には重勝賭式投票法において各レース確定毎に競走体の投票数から不的中の投票数を差し引いた残票数を所定の形式で表示する的中残票表示装置、的中残票表示プログラムおよび的中残票表示方法に関する。
【背景技術】
【０００２】
競馬、競輪、競艇およびオートレースの公営競技は、近年のミニＬＯＴＯやＴＯＴＯなどのレジャーの増加に伴いその売上高は減少傾向にある。そのため各公営競技では場外発売場を新たに開設したり、場外発売日を増やすなどその対応に努力している。一方、新規ファンの開拓に対しても取り組んでおり、競馬においては２００５年から重勝賭式馬券投票法を復活させて（中央競馬では１９６１年に、地方競馬では１９６９年に射幸心を煽るとの理由で廃止された）より魅力あるものにしょうとしている。
【０００３】
重勝賭式馬券投票法は、複数のレースの勝馬を当てる投票法であり、例えば特定の６レースの単勝を当てる６重勝単勝式や６レースの連勝を当てる６重勝連勝式などがある。何れにしても高額配当が期待できること（的中がなかった場合、払戻金を次のレースにキャリーオーバーすることも考えられている）から、新規ファンはもとより離れて行ったファンを呼び戻す狙いがある。
【０００４】
競技場の内外において投票者に対する情報提供として、投票券に対する払い戻し倍率であるオッズをモニタなどにリアルタイムに表示することが行われている。オッズは馬や舟などの競技体の人気を示すものでもあり、投票者はこのオッズを参考にして投票券の購入を行っている。従ってオッズの表示は投票者にとって重要な情報であり、公営競技の主催者は投票者に対して欠かせない情報提供サービスと捉えている。
【０００５】
これから導入されようとしている重勝賭式投票法にこのオッズ表示を行うとするとその組合せが膨大にありオッズの表示は困難である。例えば、競馬における１６頭立ての６重勝単勝式では組合せは約１，６７０万通りあり、これが１８頭立てになると約３，４００万通りにもなるからである。このようにオッズの表示量が多くなることに対して表示量を減らして表示する提案がなされている。例えば、３連単の表示方法として１着と２着の組合せに対して残りの３着を組み合わせたときのオッズの最小値と最大値を表示することで表示情報量の削減を図る提案がある（特許文献１）。
【特許文献１】特開２００１−２４３３９４号公報
【発明の開示】
【発明が解決しようとする課題】
【０００６】
上記に示したようにオッズは投票券の購入に際して重要な情報である。しかし、競馬において導入が予定されている重勝賭式投票法では組合せの数が膨大となることから表示が困難である。前述した特許文献１の方法は３連単の場合の情報量を削減して表示を行うものであるが、この方法を重勝賭式投票法に適用することは困難である。
【０００７】
一方、重勝賭式投票法におけるオッズは投票される組合せ（掛け目）に対して投票数がばらつき、１票の投票数によってオッズの値が大きく変動することが考えられる。このため仮にオッズを表示することができたとしても投票者にとって従来のオッズ程の重要性はないものと考えられる。
【０００８】
そこで、重勝賭式投票法におけるオッズの表示に替わるものとして、レースの確定の度に不的中投票数を除いて的中の可能性のある票がどのくらい残っているか（以後、的中残票または単に残票と言う）の情報を提供する。レース確定毎に的中残票が絞られることに投票者は期待感が高まり、結果として売上増加に結びつく効果が期待できると考えるからである。
【０００９】
また、重勝賭式投票法においてはその賭式の最終レースが終わって初めて的中結果が確定するわけであるが、払戻金の計算を行うのに最終レース後になって最初のレースから計算処理をするのでは処理時間が掛かることが考えられる。本提案ではレースが確定する度に計算処理を行うため最終結果の処理時間は短時間で済む、と言う効果も期待できる。
【課題を解決するための手段】
【００１０】
本発明の的中残票表示装置、的中残票表示プログラムおよび的中残票表示方法は以下のように構成される。
（１）第１の発明
第１の発明はレースの確定毎に不的中の票数を除いて的中残票を表示するものである。
【００１１】
図１は発明の原理を示すもので投票情報取得手段１０、投票数集計手段２０、不的中票除去手段３０および残票表示手段４０で構成する。
【００１２】
投票情報取得手段１０は、投票端末から重勝賭式の投票情報を取得する。この投票情報は、レース番号とそのレースに出走する競走体との組合せ、およびその組合せに対する投票金額を含むものである。ここで、競走体とは、競馬であれば「馬」、競艇では「舟」、競輪では「自転車」そしてオートレースであれば「車」のことである。また、レース番号と出走する競走体との組合せとは、例えば競馬の３重勝単勝式では第１レースの１番、第２レースの３番および第３レースの５番（ｎ番のｎは１着の馬番号）のことを言う。また、例えば３重勝馬単（３重勝馬番連勝単式）では、第１レースの１−２、第２レースの３−４および第３レースの５−６（ｎ−ｍのｎは１着の馬番号、ｍは２着の馬番号）のことを言う。
【００１３】
投票数集計手段２０は、取得した投票情報を基に各レースの競走体毎に投票数を集計することを行う。投票数は投票金額から求めることができる。
【００１４】
不的中票除去手段３０は、重勝賭式対象のレースが確定する毎に、不的中となった組合せから各レースの各競走体に投票された投票数を求め（不的中投票数と言う）、そのレースが確定する前の各レースの競走体の投票数から不的中投票数差し引いて残票数を求めることを行う。この残票数の算出は、確定したレース及びこれから行われるレースがあればそのレースに対して行われることになる。従って、この残票数の値は確定したレースに対してはそのレースの的中馬番に投じられた票数を示すものであり、これから行われるレースに対しては的中の可能性のある馬番の票数ということになる。
【００１５】
残票表示手段４０は、不的中票除去手段３０で求めた各競走体毎の残票数を１レースが確定する度に表示する。
【００１６】
上記、不的中票除去手段３０と残票表示手段４０を図３及び図４を用いて説明する。図３は３重勝単勝式の投票データの例を示すもので、説明を簡単にするため全投票数は５票（図のＮｏ．１〜Ｎｏ．５）とする（各レースは１６頭立てとする）。図３（ａ）はレース前の投票状態を示すもので、Ｎｏ．１の投票は１Ｒ（１レース）から３Ｒをそれぞれ１番、１番、３番の馬番の組合せで投票されたものである。Ｎｏ．２〜Ｎｏ．５も同様に１Ｒ〜３Ｒのそれぞれの馬番の組合せで投票されている。図３（ｂ）は１Ｒのレースが確定した場合の状態を示すもので、１Ｒでは馬番１番が的中したためＮｏ．４とＮ０．５が不的中となりその部分の組合せに網点を掛けている。同様に、図３（ｃ）は２Ｒでは馬番４番が的中した状態、更に図３（ｄ）は３Ｒ確定後で馬番３番が的中した状態を示している。この結果３Ｒが確定した段階でＮｏ．２の投票が的中馬券と言う事になる。図３の推移を不的中票除去手段３０によって求められた残票数を図４に示す。図４（ａ）〜（ｄ）の状況は図３（ａ）〜（ｄ）に対応しており、図４（ａ）では馬番１番は１Ｒで３票、２Ｒで２票、３Ｒで２票を得ている。図４（ｂ）では馬番１番が的中したので、不的中の組合せの馬番の投票数が差し引かれた票数(残票数)になっている。即ち、図３（ｂ）に示すＮｏ．４とＮｏ．５のそれぞれの馬番の票数（１Ｒでは２番と５番、２Ｒでは１番と４番、３Ｒでは１番と２番の各１票）がそれぞれのレースにおいて差し引かれる（除去される）。従って、１Ｒ確定した後では、合計の残票数は３票となる。図４（ｃ）、（ｄ）も同様に不的中の組合せの馬番の票数が除去された結果である。残票表示手段４０は、この図４（ａ）〜（ｄ）の票数を表示することになる。
（２）第２の発明
第２の発明は、残票表示手段において不的中票除去手段で求めた残票数を、レース毎に大きな値順に表示するものである。残票数が大きいほど人気があることになる。
（３）第３の発明
第４の発明は第１の発明に基づいた的中残票表示プログラムである。
（４）第４の発明
第４の発明は第１の発明に基づいた的中残票表示方法である。
【発明の効果】
【００１７】
第１の発明により、絞り込まれて行く的中残票が投票者に対して興味を抱かせ売上増の期待が図れるとともに、最終レースの確定時におけるオッズ算出処理の時間を短時間化できる。
【００１８】
第２の発明により、未確定レースにおける投票者が投票した組合せの人気が一目で判る。
【００１９】
第３の発明および第４の発明により、絞り込まれて行く的中残票が投票者に対して興味を抱かせ売上増の期待が図れ、最終レースの確定時におけるオッズ算出処理の時間を短時間化できる的中残票表示プログラムおよび的中残票表示方法の提供ができる。
【実施例】
【００２０】
本発明の実施例について図２から図８を用いて説明する。図２は的中残票表示システムの構成を説明する図である。
【００２１】
的中残票表示サーバ１００は投票端末２００とモニタ３００をネットワークを介して接続している。投票端末２００は競技場内および場外の専用端末であり、投票者によって記入された投票カードから投票情報を読み取って的中残票表示サーバ１００に送信する。モニタ３００は投票者に対して表示サービスを行うもので、本発明の重勝賭式の的中残票を表示したり、出走表や的中情報の表示を行う。
【００２２】
的中残票表示サーバ１００は、データやプログラムを制御するＣＰＵ(Central Proce-ssing Unit)１１０、投票端末２００やモニタ３００との通信を制御する通信制御部１２０、レース確定毎に各競走体の的中残票を求め表示する的中残票表示プログラム１３０、各競走体の的中残票を格納した票数情報ＤＢ１４０およびレース確定毎に確定情報を格納した確定情報ＤＢ１５０から構成する。
【００２３】
的中残票表示プログラム１３０は、投票情報を投票端末２００から取得する投票情報取得部１３１、取得した投票情報を基に各レースの各競走体に対する投票数を集計して票数情報ＤＢ１４０に格納する投票数集計部１３２、１レース確定後に不的中の投票数をレース確定前の各競走体の票数から除去して残票数を求める不的中票除去部１３３および各レースの競走体毎の残票数を表示する残票表示部１３４から構成する。
【００２４】
次に票数情報ＤＢ１４０と確定情報ＤＢ１５０について説明する。
【００２５】
票数情報ＤＢ１４０は、最初は投票数集計部１３２のプログラムによって各レースの各競走体毎の投票数を格納したものであり、不的中票除去部１３３のプログラムによってレースの進行により確定がなされる度に不的中票が差し引かれた各競走体の残票数が格納される。先に示した図４は、レースが始まる前の競走体の票数から１Ｒ〜３Ｒとレースの確定がなされ算出した残票数を示したものであるが、このデータそのものが票数情報ＤＢ１４０のデータ例である。
【００２６】
確定情報ＤＢ１５０は、各レースの確定情報を格納したもので、例えば図５に示すもので３重勝単勝式の確定情報例を示している。即ち、第１レース（１Ｒ）では１番の馬番が的中し、続いて第２、第３レースでは４番、３番が的中している情報を示している。
【００２７】
次に、的中残票表示サーバ１００の処理フローを競馬の重勝賭式の例を図６を用いて説明する。図６において、まず投票端末２００から送信された投票情報をリアルタイムに取得する。取得した投票情報を基に票数情報ＤＢ１４０を参照して投票されたレースの馬番の票数を取り出し、その値に投票情報の投票金額に相当する投票数を加えて票数情報ＤＢ１４０の元の位置に格納する。続いて、この票数情報ＤＢ１４０の情報、即ち重勝該当レースの馬番毎の投票数をモニタ３００に表示する。投票締切時間前までこれらの処理を繰り返す。投票締切時間が過ぎた場合は、次のステップに進むことになる。（Ｓ１００〜Ｓ１４０）。
【００２８】
次に、的中残票表示サーバ１００は確定情報ＤＢ１５０を参照してまず最初のレースが確定したかどうかを判定する。確定情報ＤＢ１５０に最初のレースの確定情報が入っていればレースが確定したものと判断する（確定情報ＤＢ１５０には、レースの確定とともに当該レースの的中馬番が書き込まれるものとする）。レースが確定していなければ、所定時間（例えば１分）経ってまた確定情報ＤＢ１５０を参照し、レースの確定状態を判定する。レースが確定していた場合、確定情報を基に最初のレースの不的中の馬番の票数を“０”とし、その結果を票数情報ＤＢ１４０に格納する。続いて、このレースが最終レースでないので、最初のレースより後のレースに対して不的中の組合せの馬番の票数を差し引いて残票を求め、その結果を票数情報ＤＢ１４０に格納する。そして、各レースの馬番毎の残票数をモニタ３００に表示する。この処理を次のレースから最終レースまで繰り返す。最終レースの場合は、それより後のレースがないので最終レースで的中した馬番の票数だけが残票数として残り、他の不的中の馬番の残票数は“０”となる。（Ｓ１５０〜Ｓ２００）。
【００２９】
以上説明したフローにより、投票端末２００から投票情報を取得して各競走体の票数を蓄積するとともにその情報を表示し、投票締切時間後はレース確定の度に不的中の組合せの馬番の票数を差し引いて的中の可能性のある残票の表示を行うことができる。ここで説明したフローは競馬の例で示したが、他の競輪や競艇、オートレースでも同様である。
【００３０】
次に、モニタ３００への表示例を示す。図７は、第６〜第１１レース（６Ｒ〜１１Ｒ）が主催者によって指定された６重勝単勝式の的中残票表示の例で、現在７Ｒまで確定がなされた表示例である。図７は６Ｒから順に１８頭立て、１５頭立て、１０頭立て、１４頭立て、１８頭立て、１２頭立てのレースで、６Ｒと７Ｒではそれぞれ馬番８番と７番が的中した例である。６Ｒの馬番８番に表示されている「２３５票」は、８番に投票された票数そのものである。この時点で図７には示されていないが、７Ｒ以降のレースの各馬番の票数は６Ｒの８の組合せ以外の票数を除去している。次に、７Ｒで馬番７番が的中したので、この７番の票数は前レースの２３５票の中から７番を投票した「６１票」を表示する（即ち、６Ｒと７Ｒでそれぞれ８番と７番を指定した票数である）。この時の８Ｒ以降各馬番の表示は、６Ｒと７Ｒでそれぞれ８番と７番を指定した組合せ以外が不的中であるので、その絡みの票数を８Ｒ以降の各レースの馬番の票数から除去した票数（即ち、的中残票）である。当然のことながら、８Ｒ以降の各馬番の票数の合計（即ち、残票の合計）はそれぞれ７Ｒの６１票と同数である。図７では、この残票の合計を各レースの馬番の票数を示した下部に表示している。
【００３１】
図８は、図７と同じ内容を人気順で表示した例である。６Ｒと７Ｒは既に確定しているのでトップに、８Ｒ以降は残票数の大きい馬番の順にその票数（残票数）を表示している。表示から各レースの人気の馬番が容易に分かるとともに、次のレースである８Ｒで最も人気の高い１番が的中すると現在の６１票の的中は２８票になり、次に人気の５番が来れば（的中すれば）それが１９票になる、と言うことが分かる。
【図面の簡単な説明】
【００３２】
【図１】発明の原理図である。
【図２】的中残票表示システムの構成例である。
【図３】３重勝単勝式の投票データ例である。
【図４】残票算出の例である。
【図５】確定情報ＤＢのデータ例である。
【図６】的中残票表示サーバの処理フロー例である。
【図７】６重勝単勝式の残票数表示例その１である。
【図８】６重勝単勝式の残票数表示例その２である。
【符号の説明】
【００３３】
１０    投票情報取得手段
２０    投票数集計手段
３０    不的中票除去手段
４０    残票表示手段
１００  的中残票表示サーバ
１１０  ＣＰＵ
１２０  通信制御部
１３０  的中残票表示プログラム
１３１  投票情報取得部
１３２  投票数集計部
１３３  不的中票除去部
１３４  残票表示部
１４０  票数情報ＤＢ
１５０  確定情報ＤＢ
２００  投票端末
３００  モニタ
【図１】
2006106963.tif 000003
【図２】
2006106963.tif 000004
【図３】
2006106963.tif 000005
【図４】
2006106963.tif 000006
【図５】
2006106963.tif 000007
【図６】
2006106963.tif 000008
【図７】
2006106963.tif 000009
【図８】
2006106963.tif 000010